(57)【要約】【課題】レンズの交換式のビデオカメラでは、付けるレンズによってビデオカメラの重心が大きく変わるため、肩パッドを前後に大きく可動しなければ担ぎにくい。【解決手段】操作部１０９の内側に肩パッドが可動する空間を設けることによって、肩パッドの可動域が増えることで、担ぎやすいビデオカメラが実現できる。【選択図】図５
2017026783.tif 000002
【特許請求の範囲】
【請求項１】
撮影操作の切り替えを行う操作部と、
撮影装置を保持するためのショルダーパッドとを備え、
上記操作部は撮像装置側面と前面へ突出して内側には空間があり、
ショルダーパッドが上記空間を可動することを特徴とする撮像装置。
【発明の詳細な説明】
【技術分野】
【０００１】
本発明は、撮像装置の操作部の配置に関する。
【背景技術】
【０００２】
従来より、肩パッドを可動できる業務用ビデオカメラがあった（特許文献１）。一方、撮影時に使用する操作部が、担いだ際の右あご近傍で左手で操作できるように、おおよそ本体部側面で肩パットより前方でレンズ光軸より下の位置に配置されている。そのため、肩パッドは操作部より後方で可動できるようになっていた。
【先行技術文献】
【特許文献】
【０００３】
【特許文献１】特開平８−１８６７４９号公報
【発明の概要】
【発明が解決しようとする課題】
【０００４】
しかしながら、レンズの交換式のビデオカメラでは、付けるレンズによってビデオカメラの重心が変わる。重いレンズを取り付けた際には重心が前方になるため、肩パッドを前方に可動しなければならないといった問題があった。
【課題を解決するための手段】
【０００５】
本発明に係る撮像装置は、撮影操作の切り替えを行う操作部と、撮影装置を保持するためのショルダーパッドとを備え、操作部は撮像装置側面と前面へ突出して内側には空間があり、ショルダーパッドが空間を可動することを特徴とする。
【発明の効果】
【０００６】
本発明に係る撮像装置によれば、操作部１０９の内側に肩パッドが可動する空間を設けることによって、肩パッドの前方への可動域を増やすことができる。
【図面の簡単な説明】
【０００７】
【図１】実施例の概略図
【図２】実施例の概略詳細図
【図３】実施例の概略詳細図
【図４】実施例の概略図
【図５】実施例の概略図
【図６】実施例の概略図
【発明を実施するための形態】
【０００８】
以下、図を参照して本発明を実施するための最良の形態を説明する。
【０００９】
図１は本発明を適用したビデオカメラの一例である。ビデオカメラは本体部１０１及び本体に取り外しできる撮像レンズ１０２で構成されており、撮像レンズの方向の映像を撮影することができる。また、肩に担いで撮影する際に使用する肩パッド１０３が本体部１０１の底面部に装着できる。カラービューファインダー１０４を取り付けて本体部と接続することができるためカラービューファインダー１０４で映像を見ながら撮影できる。
【００１０】
スピーカー１０５は本体部１０１側面に配置されている。スピーカー１０５の略直下に肩パッド１０３が配置されている。これにより撮影者は肩パッド１０３部を右肩に乗せてカメラを担ぎながらカラービューファインダー１０４を覗いて映像を確認しつつ、スピーカー１０５を右耳に付けて音を確認しながら撮影できる。
【００１１】
本体部１０１の側面には表示部１０６がヒンジ１０７を介して取り付けられている。表示部１０６には片面に液晶パネルなどの画像の表示できるパネル部１０６−１がある。本体部１０１側面には表示部１０６を収納できる収納部１０８が設けられている。図１のように表示部の収納状態ではパネル部１０６−１が見えない状態であり、持ち運びなどの時にパネル部１０６−１への衝撃から守ることができる。
【００１２】
表示部はスピーカー１０５の後方に配置されている。表示部を開閉回転するヒンジは表示部のスピーカーとは反対側の表示部側面で背面近傍に配置されている。ヒンジ１０７は２軸で構成されており、第１の軸（１０７−１）では表示部１０６を９０度開くことができる。また、第２の軸（１０７−２）では表示部１０６を２７０°回転することができる。
【００１３】
図２は収納状態より第一の軸（１０７−１）を９０°開き、第２の軸（１０７−２）を１８０°回転させた状態である。これにより通常、パネル部１０６−１を見ながら被写体を前方にして使用する場合は、９０°開いた表示部のパネル部１０６−１を後方より見ながら撮影することができる。このとき、表示部は背面近傍に光軸の直交している状態である。ローアングルやハイアングルの撮影を容易にするため、第２軸を動かすことで、表示部１０６の角度を自由に変えることができる。
【００１４】
図３は図２の状態より第一の軸を９０°閉じた状態である。この状態ではパネル部１０６−１を見ながら撮影条件の設定などができる。
【００１５】
図４は図２の表示部１０６の状態での撮影者の概略図である。この状態では、表示部１０６が撮影者の頭部から遠ざかるため邪魔にならない。また、表示部１０６を背面から見られる位置となり撮影者以外の人が撮影している映像を見ることが可能となる。
【００１６】
次に、撮影時の操作部について説明する。撮影者はビデオカメラを右肩に担いだ際に、右手はビデオカメラを支えるのために図示しないグリップやハンドルの保持に使用している。そのため、撮影時の詳細操作は左手でのみ可能となる。そこで、本発明のビデオカメラには撮影者側の側面で肩を避けた前方に撮影時に左手で使用する操作部１０９が設けられている。
【００１７】
操作部１０９の背面側は底面側に向けて広がる斜面で形成されている。これにより、撮影者の顔や肩などが当たることなく、撮影の邪魔にならない配置になっている。操作部の前面側はレンズの取り付く面より斜面で形成されている。これによりレンズの操作をする際に操作部が邪魔にならないような形態となっている。
【００１８】
図５、６は操作部形状をわかりやすくするために、本発明の一部を拡大した図である。図５のように操作部１０９は撮像装置側面より矢印側に突出して配置することにより、内側には空間１１０を設けている。肩パッドがこの空間に潜りこみ、図６の１０３−１の箇所のように肩パッドが操作部と重なる箇所まで前方に可動することができる。さらに、図６の矢印側に操作部が前方へ突出しているため、肩パッドが空間１１０に潜り込んでも、肩が触れる円弧状のショルダー当て部１０３−２が操作部１０９に重ならないため、肩が操作部１０９に触れることなく邪魔にならない。これにより肩パッドの前方への可動域が増え、装着するレンズの重さによって重心のバランスを変えたい時に、担ぎやすい位置に肩パッド１０３の位置を変えることができる。
【００１９】
以上、述べてきたように、操作部１０９の内側に肩パッドが可動する空間を設けることによって、
肩パッドの前方への可動域が増えることで、担ぎやすいビデオカメラが実現できた。
【符号の説明】
【００２０】
１０１  本体部、１０２  撮像レンズ、１０３  肩パッド、
１０４  カラービューファインダー、１０５  スピーカー、１０６  表示部、
１０６−１  パネル部、１０７  ヒンジ、１０７−１  ヒンジ第一の軸、
１０７−２  ヒンジ第二の軸、１０８  収納部、１０９  操作部、１１０  空間
【図１】
2017026783.tif 000003
【図２】
2017026783.tif 000004
【図３】
2017026783.tif 000005
【図４】
2017026783.tif 000006
【図５】
2017026783.tif 000007
【図６】
2017026783.tif 000008